(57)【要約】【課題】三次元ＣＡＤを用いたプラント設計の技術において、形態の共通するスプールをまとめて図面数や管理などの作業負担を軽減すること。【解決手段】データ取得手段１０４で生成した内部データ１１４中の各スプールを、スプール集約手段１０５が、共通の形態別に集約することにより、スプールの形態別に格納した形態別データ１０６を得る。この際、比較分類手段５２が、同じ制御点の表があるか、各スプール間の総当りで個々のスプールに関する制御点の表の内容を、各スプールの全ての開始点から比較して確認することにより所定の共通性に基く合致を検出し、スプールの形態別に格納した形態別データ１０６を作成する。【選択図】図１
2008257509.tif 000002
【特許請求の範囲】
【請求項１】
設計対象を構成する配管の三次元モデルの作成を支援し、スプール番号を含む配管の配置データを提供する三次元配置調整ＣＡＤ手段と、
事前に準備した配管の仕様データの記憶手段と、
前記配置データと、前記仕様データと、を読み込むとともに、両者をリンクキーで関連付けて内部データとするデータ取得手段と、
前記内部データ中の各スプールを、共通の形態別に集約することにより形態別データを得るスプール集約手段と、
をコンピュータの演算制御部で実現することを特徴とするＣＡＤシステム。
【請求項２】
前記スプール集約手段は、
前記内部データをスプール番号単位でまとめるスプール区分手段と、
各スプールの形態を表す制御点を抽出する制御点抽出手段と、
前記制御点に基いて、各スプールについて、所定の三次元座標空間内において回転させることにより、共通の配置及び向きに統一する回転手段と、
前記制御点の表を前記内部データ中に作成する表作成手段と、
前記制御点の表を各スプール間で比較することにより、スプールの形態別に格納した形態別データを作成する比較分類手段と、
を有することを特徴とする請求項１記載のＣＡＤシステム。
【請求項３】
前記スプール区分手段は、
前記設計対象を構成する全部品について処理の繰返しにより、前記配置データに係る三次元モデルと前記仕様データとをリンクさせるとともに、処理に不要な所定の部品はフィルタの適用により除外する手段と、
前記フィルタを適用した後の全部品について処理の繰返しにより、同じスプール番号を持つ部品に分けて、スプール番号ごとに前記内部データとして格納する手段と、
を有することを特徴とする請求項２記載のＣＡＤシステム。
【請求項４】
前記制御点抽出手段は、
前記設計対象を構成する全部品のスプール番号について処理の繰返しにより、前記スプール番号ごとに、工場溶接点、曲がり点、分岐点から制御点を発生させるように構成されたことを特徴とする請求項２又は３記載のＣＡＤシステム。
【請求項５】
前記回転手段は、
所定の基準に基く始点が、所定の三次元座標空間内における原点になるようにスプール全体を移動する手段と、
前記始点から第一曲がり点までを、前記空間内におけるＸ軸と重なるようにスプール全体を回転する手段と、
前記第一曲がり点から次の第二曲がり点までを、前記空間内におけるＹ軸と重なるようにスプール全体を回転する手段と、
を全スプール番号について順次適用することにより、各スプールを共通の配置及び向きに統一する
ように構成されたことを特徴とする請求項２から４のいずれか一項に記載のＣＡＤシステム。
【請求項６】
前記表作成手段は、
全スプール番号について処理の繰返しにより、
スプールの形態を表す前記各制御点間の部品、口径サイズ、長さ、曲げ半径、ベクトル及び他の属性を取得又は計算することにより、制御点の表を前記内部データに格納することを特徴とする、請求項２から５のいずれか一項に記載のＣＡＤシステム。
【請求項７】
前記比較分類手段は、
全スプール番号について処理の繰返しにより、
全スプールに関する前記制御点の表の内容を、スプール間の総当りで各スプールの全ての開始点を起点として比較することにより所定の共通性に基く合致を検出し、
合致すれば、同じ形態のスプールとして、スプールの形態別に仕分けして形態別データとして格納する
ように構成されたことを特徴とする請求項２から６のいずれか一項に記載のＣＡＤシステム。
【請求項８】
前記比較分類手段は、前記制御点の表を比較する場合に、相互に共通する要素項目の長さのみ差異があり、その他の項目は合致した場合、前記長さの差異を明示する情報を伴うものとして、かつ、同じ形態のスプールとして、スプールの形態別に仕分けして前記形態別データとして格納する
ように構成されたことを特徴とする請求項７記載のＣＡＤシステム。
【請求項９】
前記形態別データを、スプレッドシート又はＣＡＤデータに貼り付けた形式でファイル出力する貼付出力手段を有することを特徴とする請求項２から８のいずれか一項に記載のＣＡＤシステム。
【請求項１０】
設計対象を構成する配管の三次元モデルの作成を支援し、スプール番号を含む配管の配置データを提供する三次元配置調整ＣＡＤ処理と、
所定の記憶手段に事前に準備した配管の仕様データと、前記配置データと、を読み込むとともに、両者をリンクキーで関連付けて内部データとするデータ取得処理と、
前記内部データ中の各スプールを、共通の形態別に集約することにより形態別データを得るスプール集約処理と、
をコンピュータの演算制御部で実行することを特徴とするＣＡＤシステムの制御方法。
【請求項１１】
コンピュータの演算制御部を制御することにより、三次元配置調整ＣＡＤ手段と、データ取得手段と、スプール集約手段と、を実現するＣＡＤシステムの制御プログラムにおいて、
三次元配置調整ＣＡＤ手段に、前記設計対象を構成する配管の三次元モデルの作成を支援させるとともにスプール番号を含む配管の配置データを提供させ、
前記データ取得手段に、所定の記憶手段に事前に準備した配管の仕様データと、前記配置データと、を読み込ませるとともに、両者をリンクキーで関連付けて内部データとさせ、
前記スプール集約手段に、
前記内部データをスプール番号単位でまとめさせ、
各スプールの形態を表す制御点を抽出させ、
前記制御点に基いて、各スプールについて、所定の三次元座標空間内において回転させることにより、共通の配置及び向きに統一させ、
前記制御点の表を前記内部データ中に作成させ、
前記制御点の表を各スプール間で比較することにより、スプールの形態別に格納した形態別データを作成させる
ことを特徴とするＣＡＤシステムの制御プログラム。
【発明の詳細な説明】
【技術分野】
【０００１】
本発明は、ＣＡＤシステムに関する。
【背景技術】
【０００２】
火力・原子力・水力プラントの計画時には、プラントに用いるそれぞれの配管について、どのように配置するかの配置計画を行っている。この配置計画は、データ入力と、その後の工程の下流における展開と管理の利便性から、最近は三次元配置調整ＣＡＤシステムを用いて行われている。なお、三次元配置調整ＣＡＤシステムや関連ソフトウェア類をツールとも呼ぶ。
【０００３】
配置計画に関する作業では、配管設計者は、三次元配置調整ＣＡＤで、三次元仮想空間上に配管部品を配置して配管ルートを作成することにより、配管部品の配置データを作成する。また、配管仕様データとして、系統の属性情報をスプレッドシートなどを用いて、仕様データベースとして作成する。
【０００４】
これら配置データや仕様データベースでは、系統番号はキーなので必須とし、系統の詳細な名称、系統の最高使用圧力・温度、肉厚、材質、突き合わせ溶接の開先などの部品に関する情報を書き込む。このような作業をプラントに関するすべての配管について行い、三次元配置調整ＣＡＤの配置データと仕様データベースを構築する。
【０００５】
より具体的には、三次元配置調整ＣＡＤの配管データから、昨今のツールではアイソメトリック図面が自動出力される。その図面は簡素なもので、据付における最低限の情報しか保有していないが、これさえ出力していれば据付には最低限問題ないという位置付けで生成されている。
【０００６】
また、据付に関連して、スプールという概念がある。スプールは、建設現場、すなわち、現地における据付の最小単位であり、現地へ運ぶ前に工場で製作する単位を意味する。スプールは工場製作に、工場から現地への輸送や据付に便利なサイズに括られる。このようなスプールは工場で、直管や継手、フランジ、溶接座を溶接することによって製作され、これらの溶接は工場溶接と呼ばれる。
【０００７】
他方、このようなスプールとスプールを現地で溶接することを、現地溶接と呼ぶ。工場溶接と現地溶接では、一般的に、工場での加工、溶接の方が、加工の設備が整っていて容易であるため、工場溶接を多くすることを優先する。しかし、現地での加工性を考慮すると、単純な形態のスプールの方が扱いやすい場合がある。例えば、直管に継手を工場溶接しただけのものは、現地溶接数を増加させるが、工場での製作不適合の影響を受けにくい。
【０００８】
従来、三次元ＣＡＤを用いたプラント設計において、上記のようなスプールを定義する技術は提案されていた（例えば、特許文献１参照）。
【特許文献１】特開２０００−２９３５６７
【発明の開示】
【発明が解決しようとする課題】
【０００９】
ところで、上述した従来の技術においては、同形態の複数のスプールについて、ツールからアイソメトリック図面を全て出力していたため、一つのプロジェクトで扱う図面数が膨大になり、ゆえに管理数も増加し、大きな手間となるという問題があった。
【００１０】
すなわち、あるプラントについて、同形態の複数のスプールが存在する場合、従来の技術では、ツールからアイソメトリック図面を個々のスプールごとに全て出力していた。この結果、同形態、または多少の寸法の差異しか認められないスプールについても、一品一枚といった具合に図面化することになる。これは、例えば、単純な形態のスプールの場合、スプール数は大量になるが、それぞれの図面の差異は直管部分の長さのみが異なるだけであっても、一括りにできないため、大量の図面についても差異を認めて管理しなければならないということである。
【００１１】
また、設計が進み、配管の配置が変更されれば、スプールの図面も改訂しなければならないが、上記のように個別に用意された膨大な数の図面について改訂作業を行うことは、輪をかけて改訂の作業量を増やすことに他ならない。このため、一つのプロジェクトで扱う図面数が膨大になり、ゆえに管理数も増加し、大きな手間となっていた。
【００１２】
本発明は、上記のような従来の課題を解決するもので、その目的は、三次元ＣＡＤを用いたプラント設計の技術において、形態の共通するスプールをまとめて図面数や管理などの作業負担を軽減することである。
【課題を解決するための手段】
【００１３】
上記の目的をふまえ、本発明の一態様は、ＣＡＤシステムにおいて、設計対象を構成する配管の三次元モデルの作成を支援し、スプール番号を含む配管の配置データを提供する三次元配置調整ＣＡＤ手段と、事前に準備した配管の仕様データの記憶手段と、前記配置データと、前記仕様データと、を読み込むとともに、両者をリンクキーで関連付けて内部データとするデータ取得手段と、前記内部データ中の各スプールを、共通の形態別に集約することにより形態別データを得るスプール集約手段と、をコンピュータの演算制御部で実現することを特徴とする。方法及びプログラムについてもこれに準ずる。
【発明の効果】
【００１４】
本発明によれば、内部データとして取り込んだスプールを集約し、多少の寸法差程度までの共通形態のスプールで形態図面を共用することにより、図面数や管理などの作業負担を軽減可能となり、より高品質の設計、製作が容易になる。
【発明を実施するための最良の形態】
【００１５】
以下、本発明を実施するための最良の実施形態について図に沿って説明する。なお、背景技術や課題での説明と共通の前提事項については適宜省略する。
【００１６】
〔１．構成〕
まず、本実施形態におけるＣＡＤシステム（以下「本システム」とも呼ぶ）の構成を図１に示すが、図示する各手段などの要素は、パソコン（パーソナルコンピュータ）などのコンピュータの演算制御部（ＣＰＵなど）を所定の制御プログラムで制御することにより実現する。
【００１７】
このうち、三次元配置調整ＣＡＤ手段１０１は、設計対象を構成する配管の三次元モデルの作成を支援し、配置データを提供する部分である。このＣＡＤ手段１０１からの出力データを変換することによって、またはＣＡＤ手段１０１が出力データを変換することによって、三次元配置調整ＣＡＤの配置データ１０２とするが、この配置データ１０２は、スプレッドシート型、テキスト型、データベース型のいずれでも構わない。スプール番号は、ＣＡＤ手段１０１上もしくは、配置データ１０２に変換後、入力が完了していることとする。
【００１８】
また、配管の仕様データベース（ＤＢ）１０３は、事前に準備した配管の仕様データの記憶手段であり、この仕様ＤＢ１０３は、スプレッドシート型、テキスト型、データベース型のいずれでも構わない。
【００１９】
そして、この仕様ＤＢ１０３のテーブルにおける、あるレコード中のリンク用フィールドと、前記三次元配置調整ＣＡＤの配置データ１０２のテーブルにおける、あるレコード中のリンク用フィールドとにそれぞれ属性としてリンク用の値が登録されている。
【００２０】
このため、双方のテーブルのレコード中のリンク用フィールドに同値が登録されている場合には、データベーステーブルのリレーションが行われ、一つのテーブルのように扱うことができる。
【００２１】
本システムは他に（図１）、スプールのデータを取得するデータ取得手段１０４と、スプールを共通の形態ごとに集約して形態別データ１０６を得るスプール集約手段１０５と、集約したスプールの形態別データ１０６を出力する貼付出力手段１７８と、を有する。
【００２２】
また、スプール集約手段１０５は、スプールを番号単位でまとめるスプール区分手段３２と、工場溶接点・曲がり点・分岐点を制御点とする制御点抽出手段４１と、スプールを共通の配置及び向きに統一する回転手段４２と、制御点の表を内部データとして作成する表作成手段５１と、制御点の表を比較し、スプールの形態別に形態別データ１０６として格納する比較分類手段５２と、を有する。
【００２３】
これら図１に示す他の各要素は、本発明及び本実施形態における以下のような各機能作用を実現実行する処理手段である。
【００２４】
〔２．作用〕
以上のような本実施形態では、利用者による所定の処理開始ボタン操作などを受けて、以下のような処理が起動し自動実行される。なお、所定の表示画面で、配置データ１０２と仕様ＤＢ１０３のファイル名の選択を受け付けたり、処理対象とするスプールの文字列の範囲を選べるような画面も用意することが望ましい。
【００２５】
〔２−１．データの取得〕
まず、データ取得手段１０４が、配置データ１０２と仕様ＤＢ１０３のファイルを開いてデータを読み込み、両者を共通のリンクキーすなわちユニークキーで関連付けることにより内部データ１１４とする（データ取得処理）。このデータ取得処理により、配置データ１０２だけでは不足する設計情報を補い、配置データ１０２に登録された全部品と、その属性を、プログラム処理中の内部データとして、本システム上に登録する。
【００２６】
〔２−２．共通スプールの集約〕
このようにデータ取得手段１０４で生成した内部データ１１４中の各スプールを、スプール集約手段１０５が、共通の形態別に集約することにより、スプールの形態別に格納した形態別データ１０６を得る（スプール集約処理）。
【００２７】
このようにスプールを形態別にまとめるスプール集約処理の手順を図２のフローチャートに示す。この手順では、まず、スプール区分手段３２が、内部データ１１４をスプール番号単位でまとめる。
【００２８】
具体的には、配置データ１０２に係る三次元モデルのデータと仕様データベース１０３すなわち属性データベースをリンクさせるだけでなく、スプール区分手段３２は、処理に不要な所定の部品はフィルタをかけて除外する処理を（ステップ２０２）、設計対象を構成する全部品すなわち全データについて完了するまで繰り返す（ステップ２０３）。
【００２９】
また、スプール区分手段３２は、内部データ１１４におけるフィルタ後の全部品すなわち全データについてループ（繰返し）により、同じスプール番号を持つ部品ごとに分け、すなわちスプール番号単位にまとめて内部データ１１４として格納し直す処理を（ステップ２０４）、全データについて完了するまで行う（ステップ２０５）。
【００３０】
続いて、制御点抽出手段４１が、各スプール番号ごとに、各スプールに含まれる工場溶接点・曲がり点・分岐点を、スプールの形態を表す制御点として抽出し（ステップ２０６）、回転手段４２が、前記制御点に基いて、各スプールを、所定の三次元座標空間内において回転させることにより、共通の配置及び向きに統一し（ステップ２０７）、また、表作成手段５１が、制御点の表を内部データ１１４中に作成する（ステップ２０８）。これらの処理は、全スプール番号すなわち全データについてループ（繰返し）により、全データについて完了するまで行う（ステップ２０９）。
【００３１】
さらに、比較分類手段５２が、同じ制御点の表があるか、各スプール間の総当りで個々のスプールに関する制御点の表の内容を、各スプールの全ての開始点から比較して確認（ステップ２１１）することにより所定の共通性に基く合致を検出し、スプールの形態別に格納した形態別データを作成する。
【００３２】
すなわち、同じ制御点の表を持つものとして合致したものについては同形態のスプールとしてまとまるようにスプールの形態別に仕分けした形態別データ１０６として格納し、この際、以降の作表処理に必要な属性情報も合わせて格納する（ステップ２１２）。
【００３３】
このような総当りチェックによって、同じ形態のスプールが見つからなかった場合も、新規の形態として、スプールと属性を形態別データ１０６に格納する（ステップ２１３）。以上を、未決スプールがなくなるまで（ステップ２１０）、全データについてループする（ステップ２１４）。
【００３４】
〔２−３．データの出力〕
以上のように得た形態別データ１０６は、貼付出力手段１７８が、例えば同形態のスプールをリストとして作表し、スプレッドシート１０７やＣＡＤデータ１０８に貼り付けてファイル出力する（ステップ２１５）ことにより業務の効率化を図り、以上の一連の処理を終了後は、設定に応じて次の処理や画面に遷移し、例えば利用者にプロンプトを返す。
【００３５】
〔３．実例〕
以上のような本実施形態は、レイアウト編集に関するさまざまな用途に適用可能であるが、ここでは、発電所用機器及びプロセス配管、ケーブルへ適用する場合の具体例を示し、特に、スプール集約手段１０５によるスプール集約処理を中心に説明する。
【００３６】
〔３−１．具体例の内容〕
まず、図３は、３Ｄモデルである発電所用プロセス配管の一部を説明用のサンプルとして取出したものである。このサンプルは、直管３０１，３０４，３０７と、９０度ロングエルボ３０３，３０６と、溶接座３０２，３０５と、を各部品として溶接したもので、３１１，３１２，３１４，３１５は工場溶接であり、３１３，３１６は現地溶接である。
【００３７】
この図３のサンプルにおいて、直管３０１、溶接座３０２、エルボ３０３は、図４に示すようにスプールＡ（３２１）というスプール番号（識別情報）が付与されていて、また、図３のサンプルにおける直管３０４、溶接座３０５、エルボ３０６は、図４に示すスプールＢ（３２２）というスプール番号（識別情報）が付与されている。また、直管３０７は説明上、以上のスプールＡ，Ｂとは異なるスプールに含まれるものとする。これらスプールＡ（３２１）とＢ（３２２）を同形態のスプールとしてまとめる例を以下に説明する。
【００３８】
ここで、図３のサンプルは、ＣＡＤ手段１０１（図１）で作成された三次元ＣＡＤデータとして表され、その時点でのデータ形式は自由であるが、これを、ＣＡＤ手段１０１で配置データ１０２に変換して利用するものとする。この配置データ１０２は、部品名、スプール名、溶接情報、各点の座標といった情報を含み、配置データ１０２に無い各種属性などの設計情報は、仕様ＤＢ１０３に格納され、その例は、肉厚、材質、内部流体、設計圧力、設計温度などである。
【００３９】
〔３−２．スプールの区分〕
図３のようなサンプルの全体を、図４に示すように異なるスプール番号ごとにまとめる処理は、スプール区分手段３２が行うが、この処理では、スプール番号ごとにフィルタし、例えばスプール番号の小さいものから昇順に、他のスプール番号の要素は処理に不要な部品として除外するなどにより、同じスプール番号を持っている部品を集める。なお、個々のスプールは現地溶接で分解することができるが、同一スプール番号で仕分けすればよい。このようにスプールの区分を行うことにより、例えば（図４）スプールＡ（３２１）とスプールＢ（３２２）のスプールは、互いに異なる別々のスプールとして認識され、スプール集約処理前の内部データ１１４として格納される。
【００４０】
次に、制御点抽出手段４１が、工場溶接点・曲がり点・分岐点を制御点とするルールに基づいて、個々のスプールについて、形態の特徴を表す制御点を発生させる。ここで、図５は、スプールから制御点を発生させる状態を示す概念図である。例えば、制御点１（４０１）は、工場溶接点という条件に合致するため制御点となる点で、以下同様に、制御点２（４０２）は分岐の交点、制御点３（４０３）は工場溶接点、制御点４（４０４）は曲がり点、制御点５（４０５）は工場溶接点、制御点６（４０６）は分岐点として、それぞれ制御点となりうる。
【００４１】
以降、内部データやそれに基く各処理においては、図６に示すように、これら制御点のみで、各スプールの形状や向きなどの状態を識別・処理すれば足りる。
【００４２】
〔３−３．配置と向きの統一〕
以上のように、制御点の抽出された各スプールも、そのままでは、三次元座標空間上において、様々な位置座標に配置され、向きも不統一であるため、共通性の比較は困難である。そこで、共通の配置と向きに統一して比較を容易にする。ここで、図７は、各スプールについて共通の配置と向きに統一する処理を示す概念図である。
【００４３】
具体的には、図７に示すように、まず、始点４２１が所定の三次元座標空間内における原点（０，０，０）になるようにスプール全体を移動する。次に、始点４２１から第一曲がり点４２２までを前記空間内におけるＸ軸と重なるようにスプール全体を回転する。最後に、第一曲がり点４２２から第二曲がり点４２３までを前記空間内におけるＹ軸と重なるようにスプール全体を回転する。この処理を全スプール番号について順次適用することにより、どのスプールも共通のＸ−Ｙ面上に共通の配置位置と向きで固定できるため、以降の処理を簡単にすることができる。
【００４４】
〔３−４．制御点の表の作成〕
また、図８は、図６に示した各制御点（図８（１））をもとに、各制御点間について距離などの値を計算したり特性を評価することにより、制御点の表（図８（２））を作成する処理を示す概念図である。
【００４５】
この際は、どのスプールについても、いずれか一端の開始点を含め、全ての互いに隣接する制御点間の情報を保有し、また、個々のスプールについても、表は、全ての各開始点からのものを作成、保有する。
【００４６】
個々の表では、ある制御点と、その次の制御点を、それぞれ始点、終点とし、その間の部品名、口径サイズを、スプールの形態を表す情報項目として記載する。この情報は配置データ１０２と、仕様ＤＢ１０３から抽出して取得し又は計算する。このとき、制御点の座標が既知であるため、長さや曲げ半径、ベクトルを計算することができ、また、その他の、肉厚・材質・内部流体・設計圧力／温度などの属性を、比較対照用に、表の情報項目に加えることも望ましいが、必須ではない。
【００４７】
〔３−５．比較分類処理〕
また、図９は、上記のように作成した制御点の表を比較し、スプールの形態別に形態別データ１０６として格納する処理を示す概念図である。この処理では、全てのスプールをチェックしていくが、例えばある時点で、すでにスプールＡが内部データとして格納されているとする。すなわち、スプールＡの制御点の表５１１は、スプールの形態別に仕分けして格納する形態別データ１０６に含まれているとする。
【００４８】
ここで、スプールＢについて処理を行うとき、スプールＢの制御点の表５１２について、形態別データ１０６中のスプールＡの制御点の表５１１との比較処理する（ステップＳ５１４）。この比較処理は、スプールの各開始点それぞれの表を用いて、両者を比較し、所定数の要素の一致など所定の基準で合致を確認できれば、スプールＢをスプールＡと同形態として、形態別データ１０６に格納する（図２のステップＳ２１２）。
【００４９】
このように、制御点の表を比較する場合に、相互に共通する要素項目の長さのみ差異があり、その他の項目は合致した場合、前記長さの差異を明示する情報（例えば寸法データ一覧）を伴うものとして、かつ、同じ形態のスプールとして、スプールの形態別に仕分けして内部データに格納する。一方、一致する要素が無いか又は所定基準を満たさない場合は、形態別データ１０６に新形態のデータとして格納する（図２のステップＳ２１３）。
【００５０】
以上のように得た形態別データ１０６は、最終的には、貼付出力手段１７８が、リストや図面、例えば、図１０、図１１におけるパラメータ図、パラメータ表として出力することにより、具体的かつ実際的に業務負荷の低減に活用可能となる。
【００５１】
〔４．効果〕
以上のように、本実施形態では、内部データとして取り込んだスプールを集約し、多少の寸法差程度までの共通形態のスプールで形態図面を共用することにより、図面数や管理などの作業負担を軽減可能となり、より高品質の設計、製作が容易になる。
【００５２】
特に、本実施形態では、各スプールについて形態の特徴を表す制御点を元に、各スプールを同じ配置や向きに統一し表を作成し比較することにより、共通形態のスプールを確実容易に抽出可能となる。
【００５３】
また、本実施形態では、必要な部品に限ってスプール番号ごとに格納することにより、以降の処理における記憶領域や演算負荷を最小限として処理が迅速化できる。
【００５４】
また、本実施形態では、工場溶接点、曲がり点、分岐点を制御点として利用することにより、配置や向きの統一、共通性の判定などの処理を適度な具体性で迅速適切に実行可能となる。
【００５５】
また、本実施形態では、所定の三次元座標空間内で原点を基準とした位置の統一に加え、始点から第一曲がり点の区間と、その次の区間を、必要な回転でそれぞれ空間軸に重ねることにより、配置や向きを簡明なアルゴリズムで正確に統一可能となる。
【００５６】
また、本実施形態では、多様な要素や属性を比較の対象とすることにより、基準の設定如何でどの程度まで共通のスプールとしてまとめるかを、案件や状況に応じて自由に制御可能となる。
【００５７】
また、本実施形態では、全スプール間で制御点の表に基き両端からの比較により、相互に逆の姿勢のスプールがあっても、共通のスプールを正確に漏れ無く抽出容易となる。
【００５８】
また、本実施形態では、一部の長さのみ異なるスプールについてはその寸法差異を明示した情報とともに同形態として抽出することにより、差異を明確にしながら図面数や管理負担の削減を効果的に実現容易となる。
【００５９】
また、本実施形態では、スプールの共通性や差異を表す情報をスプレッドシートやＣＡＤデータに貼り付けた形式で提供することにより、取扱や加工も容易になり、作業効率改善の効果を一層享受容易になる。
【図面の簡単な説明】
【００６０】
【図１】本発明の実施形態の構成を示す図。
【図２】本発明の実施形態における処理手順を示すフローチャート。
【図３】本発明の実施形態において説明用のサンプルとする発電所用プロセス配管の一部を示す概念図。
【図４】本発明の実施形態におけるスプールの識別情報を示す概念図。
【図５】本発明の実施形態において、スプールから制御点を発生させる状態を示す概念図。
【図６】本発明の実施形態において、制御点のみで、各スプールの形状や向きなどの状態を識別・処理する状態を示す概念図。
【図７】本発明の実施形態において、各スプールについて共通の配置と向きに統一する処理を示す概念図。
【図８】本発明の実施形態における制御点と、その制御点をもとに作成した制御点の表を例示する概念図。
【図９】本発明の実施形態において、制御点の表を比較し、スプールの形態別に内部データを格納する処理を示す概念図。
【図１０】本発明の実施形態における図面及びリストの出力例を示す図。
【図１１】本発明の実施形態における図面及びリストの出力例を示す図。
【符号の説明】
【００６１】
１０１…三次元配置調整ＣＡＤ手段
１０２…配置データ
１０３…仕様データベース
１０４…データ取得手段
１１４…内部データ
１０５…スプール集約手段
３２…スプール区分手段
４１…制御点抽出手段
４２…回転手段
５１…表作成手段
５２…比較分類手段
１０６…形態別データ
１７８…貼付出力手段
１０７…スプレッドシート
１０８…ＣＡＤデータ
【図１】
2008257509.tif 000003
【図２】
2008257509.tif 000004
【図３】
2008257509.tif 000005
【図４】
2008257509.tif 000006
【図５】
2008257509.tif 000007
【図６】
2008257509.tif 000008
【図７】
2008257509.tif 000009
【図８】
2008257509.tif 000010
【図９】
2008257509.tif 000011
【図１０】
2008257509.tif 000012
【図１１】
2008257509.tif 000013